(57)【特許請求の範囲】
【請求項１】
枠状の額縁本体と、この額縁本体の背面より内部に入れると前部開口部を覆うことができる、全体が透明あるいは中央部が透明で周囲が不透明な前部カバー板と、この前部カバー板の背面ほぼ中央部に密封状態で固定された、内部に乾燥植物を用いた飾り絵が収納された防湿性の箱状の容器と、この容器の外周部と一体形成された、あるいは容器が入り込む透孔が形成された前記額縁本体の背面に設けられた複数個の係止具で係止あるいは接着剤で固定される裏板とからなることを特徴とする乾燥植物飾り。
【請求項２】
前部カバー板はガラス板あるいはアクリル板を用いた透明カバーと、この透明カバーの外周部を覆う隠しカバーとで構成されていることを特徴とする請求項１記載の乾燥植物飾り。
【請求項３】
箱状の容器はブリキ、アルミ、ステンレス等の金属や白磁器あるいはガラスやアクリル板で形成されていることを特徴とする請求項１記載の乾燥植物飾り。
【請求項４】
飾り絵は台紙と、この台紙の前面に立体乾燥植物や押し花、プリザードフラワー、乾燥野菜、海藻、果物を配置した絵本体と、前記台紙の背面に設けた乾燥剤や脱酸素剤等の変色防止剤とで構成されていることを特徴とする請求項１記載の乾燥植物飾り。
【発明の詳細な説明】
【技術分野】
【０００１】
本発明は乾燥植物を用いて立体的に形成した飾り絵を飾ることができる乾燥植物飾りに関する。
【背景技術】
【０００２】
従来、缶を使ったり、アルミ箔や防湿袋を用いて乾燥植物の作品を密封する方法が考えられているが、いずれも工程が複雑で難しいという欠点があった。
また、缶を使用したものは額に入れることが難しかったり、アルミ箔や防湿袋を使用したものは裏面の美観が悪く、保護する上でも裏面を隠すような箱が必要であったり、作業中にアルミ箔や防湿袋を損傷させやすいという欠点があった。
【特許文献１】特になし
【発明の開示】
【発明が解決しようとする課題】
【０００３】
本発明は以上のような従来の欠点に鑑み、立体的な乾燥植物を用いた作品を、作業中に損傷させることなくきれいに額縁内に収納
することができるとともに、作業が容易で、裏面の美観も良好な、構造が簡単な乾燥植物飾りを提供することを目的としている。
【０００４】
本発明の前記ならびにそのほかの目的と新規な特徴は次の説明を添付図面と照らし合わせて読むと、より完全に明らかになるであろう。
ただし、図面はもっぱら解説のためのものであって、本発明の技術的範囲を限定するものではない。
【課題を解決するための手段】
【０００５】
上記目的を達成するために、本発明は枠状の額縁本体と、この額縁本体の背面より内部に入れると前部開口部を覆うことができる、全体が透明あるいは中央部が透明で周囲が不透明な前部カバー板と、この前部カバー板の背面ほぼ中央部に密封状態で固定された、内部に乾燥植物を用いた飾り絵が収納された防湿性の箱状の容器と、この容器の外周部と一体形成された、あるいは容器が入り込む透孔が形成された前記額縁本体の背面に設けられた複数個の係止具で係止あるいは接着剤で固定される裏板とで乾燥植物飾りを構成している。
【発明の効果】
【０００６】
以上の説明から明らかなように、本発明にあっては次に列挙する効果が得られる。
【０００７】
（１）枠状の額縁本体と、この額縁本体の背面より内部に入れると前部開口部を覆うことができる、全体が透明あるいは中央部が透明で周囲が不透明な前部カバー板と、この前部カバー板の背面ほぼ中央部に密封状態で固定された、内部に乾燥植物を用いた飾り絵が収納された防湿性の箱状の容器と、この容器の外周部と一体形成された、あるいは容器が入り込む透孔が形成された前記額縁本体の背面に設けられた複数個の係止具で係止あるいは接着剤で固定される裏板とで構成されているので、箱状容器内の飾り絵は、光を反射あるいは透過する該箱状容器によって明るく仕上がり、きれいに見せることができる。
【０００８】
（２）前記（１）によって、前部カバー板に飾り絵が収納された箱状の容器を密封状態で固定するので、その作業が容易で、楽に作ることができるとともに、箱状の容器によって裏面の美観を良好にできる。
【０００９】
（３）前記（１）によって、箱状の容器を用いることにより、従来のように作業中にアルミ箔や防湿袋を損傷させることなく、失敗なく確実に行なうことができる。
【００１０】
（４）前記（１）によって、箱状の容器を防湿性の優れた専用の容器を用いることにより、簡単に防湿性を図ることができる。
【００１１】
（５）前記（１）によって、箱状の容器との外周部と一体形成された、あるいは容器が入り込む透孔が形成された裏板によって額縁本体に複数個の係止具で係止することができる。
したがって、箱状の容器を従来の額縁と同様に額縁本体に取付けることができる。
【００１２】
（６）請求項２、３、４も前記（１）〜（５）と同様な効果が得られる。
【発明を実施するための最良の形態】
【００１３】
以下、図面に示す本発明を実施するための最良の形態により、本発明を詳細に説明する。
【００１４】
図１ないし図７に示す本発明を実施するための最良の第１の形態において、１は立体乾燥植物や押し花、プリザードフラワー等の乾燥植物２を用いた本発明の乾燥植物飾りで、この乾燥植物飾り１は前部カバー板等の収納凹部３が形成された枠状の額縁本体４と、この額縁本体４の背面より前記前部カバー板等の収納凹部３内に収納され、外周部が該前部カバー板等の収納凹部３の底面を形成する支持部５に支持される前部カバー板６と、この前部カバー板６の背面ほぼ中央部を接着剤７で密封状態で固定された、内部に前記乾燥植物２を用いて作成された飾り絵８が収納された、光を反射しやすい材質や光を透過する材質で形成された防湿性の箱状の容器9と、この箱状の容器9の外周部と一体形成された前記額縁本体4の背面に設けられた複数個の係止具１０で係止される裏板１１と、前記額縁本体4の背面に取付けられた吊り紐取付け金具１２、１２、１２、１２とで構成されている。
【００１５】
前記前部カバー板6は図５に示すように、前記前部カバー板等の収納凹部３の支持部５に外周部が枢支される中央部に透孔１３が形成された、厚紙や発泡スチロール板等の不透明な隠しカバー１４と、この隠しカバー１４と重なり合い、覆うように配置された透明なガラス板あるいはアクリル板を用いた透明カバー１５とで構成されている。
【００１６】
前記箱状の容器９は図６に示すように、ブリキやアルミ、ステンレス等の金属、これらの金属で形成された容器の内壁面に塗装で着色や白色を含む色紙を貼着したものや白磁器等の光を反射しやすい素材やガラスやアクリル板等の光を透過する素材で長方形状、円弧状、六角や八角形状等、本発明の実施の形態では長方形状で、額縁本体４の前部カバー板等の収納凹部３に入り込む長方形状の裏板１１が外周部に一体形成されている。
また、箱状の容器９内には図７に示すように、内底９ａに乾燥剤や脱酸素剤等の変色防止剤１６を接着剤や接着テープで貼り付け固定し、その上部に台紙１７を位置させ、該台紙１７上に乾燥植物２を接着剤等で固定状態に配置した飾り絵本体１８とからなる飾り絵８が設けられる。
なお、台紙１７の背面に変色防止剤１６を接着剤や接着テープで貼り付けたりあるいは台紙１７の表面に飾り絵本体１８を貼り付け固定したものを箱状の容器９内へ収納してもよい。
【００１７】
上記構成の乾燥植物飾り１は箱状の容器９内に乾燥植物２で作成した飾り絵８を収納し、箱状容器９の周縁部にリング状にシリコン系、エポキシ系の防湿性の高い接着剤７を塗布し、前部カバー板６の透明カバー１５のほぼ中央部で密封状態に固定した後、透明カバー１５上に隠しカバー１４を位置させ、その上部より額縁本体４の前部カバー板等の収納凹部３内に位置させ、複数個の係止具１０で箱状の容器９の外周部に一体形成された裏板１１を係止させることにより、額縁に収納された乾燥植物飾り１が完成する。
なお、透明カバー１５と飾り絵８を収納した箱状容器９の接着剤７を用いて密封状態に固定するとき、箱状容器９に弾性があるものを使用している場合には箱状容器９を押し圧して、内部の空気をある程度除去して、密封状態で固定できるような作業を行うと良い。
[発明を実施するための異なる形態]
【００１８】
次に、図８ないし図１８に示す本発明を実施するための異なる形態につき説明する。なお、これらの本発明を実施するための異なる形態の説明に当って、前記本発明を実施するための最良の第１の形態と同一構成部分には同一符号を付して重複する説明を省略する。
【００１９】
図８ないし図１２に示す本発明を実施するための第２の形態において、前記本発明を実施するための最良の第１の形態と主に異なる点は、透明カバー１５に接着剤７で密封固定することができるフランジ状の開口端部１９が形成された箱状の容器９Ａと、この箱状の容器９Ａの開口端部１９を除く部位が挿入される透孔２０が形成された前部カバー板等の収納凹部３内に収納される裏板１１Ａを用いた点で、このような箱状の容器９Ａや裏板１１Ａを用いて構成した乾燥植物飾り１Ａにしても、前記本発明を実施するための最良の第１の形態と同様な作用効果が得られる。
【００２０】
図１３ないし図１５に示す本発明を実施するための第３の形態において、前記本発明を実施するための最良の第１の形態と主に異なる点は、透明カバー１５の中央部を除く外周部を不透明の塗料を塗布した隠しカバー板１４Ａを設けた前部カバー板６Ａを用いた点で、このような前部カバー板６Ａを用いて構成した乾燥植物飾り１Ｂにしても、前記本発明を実施するための最良の第１の形態と同様な作用効果が得られる。
【００２１】
図１６ないし図１８に示す本発明を実施するための第４の形態において、前記本発明を実施するための最良の第１の形態と主に異なる点は額縁本体４内に前部カバー板６に飾り絵８が収納された防湿性の箱状の容器9を密封状態で固定したものを収納し、箱状の容器9の外周部と一体形成された裏板１１と額縁本体４の背面部位とを接着剤２１で密封状態で固定した点で、このように裏板１１と額縁本体４の背面部位とを接着剤２１で密封状態で固定して構成した乾燥植物飾り１Ｃにしても、前記本発明を実施するための最良の第１の形態と同様な作用効果が得られる。
【００２２】
なお、前記本発明を実施する各形態では長方形状の隠しカバー１４、１４Ａや長方形状の箱状の容器９、９Ａ、長方形状の額縁本体４を用いるものについて説明したが、本発明はこれに限らず、円形状、五角形状、六角形状、八角形状等の隠しカバー、箱状の容器、額縁本体を用いても、本発明を実施する各形態と同様な作用効果が得られる。
隠しカバーは塗料に代わり、不透明に形成したシート材を用いてもよい。
また、複数個の係止具１０で裏板１１、１１Ａを額縁本体４に係止させることにより、該裏板１１、１１Ａによって透明カバー１５に箱状の容器９、９Ａを押し圧できる寸法に設定することにより、より透明カバー１５と箱状の容器９、９Ａとの密封状態を長期間保つことができる。
【産業上の利用可能性】
【００２３】
本発明は乾燥植物を用いた乾燥植物飾りを製造する産業および乾燥植物飾りを教える教育産業で利用される。
【図面の簡単な説明】
【００２４】
【図１】本発明を実施するための最良の第１の形態の正面図。
【図２】本発明を実施するための最良の第１の形態の側面図。
【図３】本発明を実施するための最良の第１の形態の背面図。
【図４】図１の４−４線に沿う断面図。
【図５】本発明を実施するための最良の第１の形態の前部カバー板の説明図。
【図６】本発明を実施するための最良の第１の形態の箱状の容器の説明図。
【図７】本発明を実施するための最良の第１の形態の箱状の容器内への飾り絵の作成方法の説明図。
【図８】本発明を実施するための第２の形態の正面図。
【図９】本発明を実施するための第２の形態の背面図。
【図１０】図８の１０−１０線に沿う断面図。
【図１１】本発明を実施するための第２の形態の箱状の容器の説明図。
【図１２】本発明を実施するための第２の形態の裏板の説明図。
【図１３】本発明を実施するための第３の形態の正面図。
【図１４】図１３の１４−１４線に沿う断面図。
【図１５】本発明を実施するための第３の形態の前部カバー板の説明図。
【図１６】本発明を実施するための第４の形態の正面図。
【図１７】図１６の１７−１７線に沿う断面図。
【図１８】本発明を実施するための第４の形態の背面図。
【符号の説明】
【００２５】
１、１Ａ、１Ｂ：乾燥植物飾り、  ２：乾燥植物、
３：前部カバー板等の収納凹部、  ４：額縁本体、
５：支持部、                    ６、６Ａ：前部カバー板、
７：接着剤、                    ８：飾り絵、
９、９Ａ：箱状の容器、        １０：係止具、
１１、１１Ａ：裏板、          １２：吊り紐取付け金具、
１３：透孔、                  １４、１４Ａ：隠しカバー、
１５：透明カバー、            １６：変色防止剤、
１７：台紙、                  １８：飾り絵本体、
１９：開口端部、              ２０：透孔、
２１：接着剤。
【図１】
0005198038.tif 000002
【図２】
0005198038.tif 000003
【図３】
0005198038.tif 000004
【図４】
0005198038.tif 000005
【図５】
0005198038.tif 000006
【図６】
0005198038.tif 000007
【図７】
0005198038.tif 000008
【図８】
0005198038.tif 000009
【図９】
0005198038.tif 000010
【図１０】
0005198038.tif 000011
【図１１】
0005198038.tif 000012
【図１２】
0005198038.tif 000013
【図１３】
0005198038.tif 000014
【図１４】
0005198038.tif 000015
【図１５】
0005198038.tif 000016
【図１６】
0005198038.tif 000017
【図１７】
0005198038.tif 000018
【図１８】
0005198038.tif 000019